(57)【要約】   【課題】    現行の情報提供誌では、ほとんどの雑誌が各種情報を得ようとする場合、それぞれのページ間を開いたり、閉じたりしながら、必要とする情報内容を記憶を含めて比べながら、情報を得るという課題があった。   【解決手段】  本発明は、情報誌の表紙１１０若しくはページに上下二段以上に並んだ、それぞれ独立した情報掲載状態の上部情報部分０１０を下部情報部分１２０と見比べたり、切り取ることが出来る。情報部分を比較検討する場合には、下部情報部分の情報内容と比較することが容易になり、また上部情報部分０１０を下部情報部分１２０に折り込んだり、切り取って挟み込む場合には、栞としての役目もはたすことが可能である。【選択図】図１
2008100502.tif 000002
【特許請求の範囲】
【請求項１】
上下二段以上独立製本誌一体本において少なくとも１頁以上の上部情報部分と少なくとも１頁以上の下部情報部分との両情報部分の対比を容易にすることによって各情報の内容を容易に比較検討することが可能となる情報誌において、少なくとも１頁以上の上部情報部分を少なくとも１頁以上の下部情報部分に折り畳むことができ、
前記上部情報部分を下部情報部分に折り畳み収納が可能になると共に、収納した上部情報部分を折り返すことが可能な少なくとも１頁以上の上部情報部分に目的に応じた情報や地図を提供することができる表紙を確保することにより、少なくとも１頁以上の下部情報部分の情報内容と上部情報部分との相互の情報の比較が容易に行え、上部情報部分が下部情報部分の目的の情報ページの間に挟み込む栞としても使用することが出来るようにしたことを特徴とする情報誌。
【請求項２】


上下二段以上独立製本誌一体本において少なくとも１頁以上の上部情報部分と少なくとも１頁以上の下部情報部分との両情報部分の対比を容易にすることによって各情報の内容を容易に比較検討することが可能となる情報誌において、少なくとも１頁以上の上部情報部分を少なくとも１頁以上の下部情報部分に折り畳むことができ、
前記上部情報部分を下部情報部分に折り畳み収納が可能になると共に、収納した上部情報部分を折り返すことが可能な少なくとも１頁以上の上部情報部分に目的に応じた情報や地図を提供することができるページを確保することにより、少なくとも１頁以上の下部情報部分の情報内容と上部情報部分との相互の情報の比較が容易に行え、上部情報部分が下部情報部分の目的の情報ページの間に挟み込む栞としても使用することが出来るようにしたことを特徴とする情報誌。
【請求項３】
上下二段以上独立製本誌一体本において、上部情報部分と下部情報部分との間の切り離し可能部分にはミシン目を有する表紙にしたことを特徴とする請求項１に記載の情報誌。
【請求項４】
上下二段以上独立製本誌一体本において、上部情報部分と下部情報部分との間の切り離し可能部分にはミシン目を有するページにしたことを特徴とする請求項２に記載の情報誌。
【請求項５】
上下二段以上独立製本誌一体本において、上部情報部分と下部情報部分との間の切り離し可能部分を有する上部情報誌には、地図を掲載したことを特徴とする請求項３又は４のいずれかに記載の情報誌。
【請求項６】
切り離し可能部分を有する上部情報誌には商品及び役務に関する広告を掲載したことを特徴とする請求項１乃至４のいずれかの請求項に記載の情報誌。
【請求項７】
切り離し可能部分を有する上部情報誌には犯罪の捜査のための写真情報を掲載したことを特徴とする請求項１乃至４のいずれかの請求項に記載の情報誌。
【請求項８】
切り離し可能部分を有する上部情報誌部分が表紙又は見開きできるページにあることを特徴とする請求項１又は２に記載の情報誌。 
【発明の詳細な説明】
【技術分野】
【０００１】
本発明は、各種サイズの情報誌に関する。
【背景技術】
【０００２】
従来の情報誌では、利用に際し様々な使い勝手上の不便な点があった。
特許出願人が特許出願している特願２００６−１３４４７１及び特願２００６−１６９２８８は、Ａ４サイズの冊子に関して提案したものであり、Ａ４サイズ表紙の裏下部Ａ６サイズ製本誌部分と同じく表紙の裏上部Ａ６サイズ製本誌部分とを独立に製本誌とする本に関しての提案であり、製本誌サイズはＡ６に制約されたものであった。特願２００６−１７８７０６は上下二段式の情報誌に関するＡ４サイズページにＡ６サイズの冊子を付けて上下二段を一体製本するものについて提案したものであった。従来技術の特許文献１〜３に掲げた情報誌の技術分野では、Ａ４サイズページにＡ６サイズの冊子を付けて上下二段を一体製本するものはなかった。
【特許文献１】特開２００４−３５１９２０号公報
【特許文献２】特開２００４−３１４３７０号公報
【特許文献３】特開２００１−０５８４７９号公報
【発明の開示】
【発明が解決しようとする課題】
【０００３】
従来のサイズでは、各種情報を得ようとする場合、それぞれのページ間を開いたり、閉じたりしながら、必要とする情報内容を記憶を含めて見比べながら、情報を得るという必要があった。即ち、その従来のサイズの持つ問題を分析すると第一の問題点は各種情報誌のそれぞれのページ間を開いたり閉じたりすること、第二の問題点はそれぞれのページに有る情報内容を記憶を含めて見比べながら情報を得ることにあった。
【０００４】
本発明は、これら従来の情報誌の問題点を解決しようとするものであり、少なくとも１頁以上の上部情報部分と少なくとも１頁以上の下部情報部分との対比を容易にし、よって各情報の内容を容易に比較検討することが可能となる情報誌を提供することを目的とするものである。
【課題を解決するための手段】
【０００５】
本発明は、上下二段以上独立製本誌取り外し可能部分付き一体本にしたことにより、上部情報誌と下部情報誌との間に取り外し可能部分を設け、その取り外し可能部分にはミシン目等の切り離し可能部位を有することを特徴とするものである。
【発明の効果】
【０００６】
本発明は特許請求の範囲に記載の通り、上下二段以上独立製本誌取り外し可能部分付き一体本の情報誌の提供をすることができる。
【発明を実施するための最良の形態】
【０００７】
本発明を実施するための最良の形態は、上下に二段以上に有するようにした独立製本誌に上部情報部分と下部情報部分の製本誌の取り外し可能部分を設けて、上部情報部分と下部情報部分との間に有る取り外し可能部分により折り曲げて上部情報部分を下部情報部分の間に折り畳めるように構成したことである。
【実施例１】
【０００８】
第一の問題点の解決手段として、図１〜２に示すように少なくとも１頁以上の上部情報部分０１０を有し、この上部情報部分の下縁に連結している少なくとも１頁以上の下部情報部分１２０に前記上部情報部分を表紙１１０に設け、上部情報部分０１０を折り畳んだ場合には、上部情報部分を下部情報部分に折り畳まれた状態で簡単に収納が可能になるようにした。
【実施例２】
【０００９】
第二の問題点の解決手段として、図５に示す符号００２部分のように、折り返すことが可能な少なくとも１頁以上の上部情報部分００２に目的に応じた情報（例えば広告、写真）や地図を提供することができるページ１１１を確保することにより、図５に示す記号１２０部分である少なくとも１頁以上の下部情報部分の情報内容との相互の情報の比較が容易に行え、見易く使い勝手がよくなるようにした。
【００１０】
前記第一の問題点と第二の問題点とを解決する手段により、情報誌は図２、図４、図６に示す符号０１０，００２部分の上部情報部分を図に示す符号１２０である下部情報部分の目的の情報ページの間に挟み込む栞としても使用することが出来るので、片手で目的の情報ページを開いて見ることも容易である。
【実施例３】
【００１１】
また、図７〜９に示す符号０２０のようなミシン目等の切り取り可能な部位を設け、切り取り可能な部分０２０に沿って切り取りを行った場合、上部情報部分００２と下部情報部分１２０の各情報を個別に利用することや両情報の対比をすることも可能である。
【００１２】
見開きのある上部情報部分０１０又は上部情報部分００２と下部情報部分１２０の間にミシン目等の切り取り可能部分０２０を設ける。切り取り可能部分は、ミシン目であっても良いし、単に鋏で切り離すようにしても良い。
【００１３】
上部情報部分０１０，００２には、地図や広告を印刷しても良いし、特殊な用い方として写真を掲載して捜査目的にも使用することもできる。
【産業上の利用可能性】
【００１４】
以上の通り、特許請求の範囲に記載の本発明は上下二段以上独立製本誌取り外し可能部分付き一体本の情報誌であるので、例えば店舗・企業情報誌の場合、見やすい広域地図面の上部情報部分と各店舗紹介の下部情報部分をそれぞれ対比させて見ることが容易であるとともに、持ち運び時には上部情報部分を下部情報部分に折畳んだ状態で収納するか、または切り取って個別に利用したり、収納する事もできる情報誌となる。
【図面の簡単な説明】
【００１５】
【図１】上下二段以上独立製本誌取り外し可能部分付き一体本の実施方法を示すものにおいて、上部情報部分を下部情報部分の表紙につけた状態の説明図（実施例１）
【図２】上下二段以上独立製本誌取り外し可能部分付き一体本の実施方法を示すものにおいて、同誌の上部情報誌部分を下部情報誌部分に折り畳み込んだ状態を示す説明図（実施例１）
【図３】上下二段以上独立製本誌取り外し可能部分付き一体本の実施方法を示すものにおいて、同誌の上部情報誌部分を下部情報誌部分の表紙に付けた実施方法を示す説明図（実施例１）
【図４】上下二段以上独立製本誌取り外し可能部分付き一体本の実施方法を示すものにおいて、上部情報誌部分を下部情報誌部分に折り畳み込んだ状態を示す説明図（実施例１）
【図５】上下二段以上独立製本誌取り外し可能部分付き一体本の実施方法を示すものにおいて、同誌の上部情報誌部分を下部情報誌部分のページに付けた実施方法を示す説明図（実施例２）
【図６】上下二段以上独立製本誌取り外し可能部分付き一体本の実施方法を示すものにおいて、同誌の上部情報誌部分を下部情報誌部分に折り畳んだ状態を示す説明図（実施例２）
【図７】上下二段以上独立製本誌取り外し可能部分付き一体本の実施方法を示すものにおいて、同誌の上部情報誌部分と下部情報誌部分の間にミシン目等の切り取り可能部分を設けた状態を示す説明図（実施例３）
【図８】上下二段以上独立製本誌取り外し可能部分付き一体本の実施方法を示すものにおいて、同誌の上部情報誌部分を下部情報誌部分にミシン目等の切り取り線に沿って折り込んだ状態を示す説明図（実施例３）
【図９】上下二段以上独立製本誌取り外し可能部分付き一体本の実施方法を示すものにおいて、同誌の上部情報誌部分をミシン目等の切り取り線に沿って切り取った状態を示す説明図（実施例３）
【符号の説明】
【００１６】
０１０  見開きのある上部情報部分
００２  上部情報部分
１２０  下部情報部分
１１０  表紙
１１１    ページ
０２０    ミシン目等の切り取り線部分（切り取り可能部分）
【図１】
2008100502.tif 000003
【図２】
2008100502.tif 000004
【図３】
2008100502.tif 000005
【図４】
2008100502.tif 000006
【図５】
2008100502.tif 000007
【図６】
2008100502.tif 000008
【図７】
2008100502.tif 000009
【図８】
2008100502.tif 000010
【図９】
2008100502.tif 000011